(57)【要約】【課題】応急運転モード移行要否確認のための燃料ガス確認を自動的に行うようにしたハイブリッド給湯装置を提供する。【解決手段】ヒートポンプユニット(2)と貯湯タンク(5)と燃料ガスを使用する補助熱源機(4)と制御手段(7)とを備えたハイブリッド給湯装置(1)において、通常運転モードと、燃料ガス遮断が検知された状態においてヒートポンプユニットで貯湯タンク内の湯水を沸かし上げる応急運転モードを備え、制御手段(7)は、補助熱源機(4)において燃料ガスを使用した燃焼動作が所定時間以上行なわれていない場合に、通常運転モードにおいて貯湯タンク内の貯湯熱量に関連づけた所定のタイミングに応急運転モード移行要否確認のための燃料ガス確認を行う。【選択図】図1
2020176811.tif 000002
【特許請求の範囲】
【請求項１】
ヒートポンプユニットと貯湯タンクと燃料ガスを使用する補助熱源機と制御手段とを備えたハイブリッド給湯装置において、
通常運転モードと、燃料ガス遮断が検知された状態においてヒートポンプユニットで貯湯タンク内の湯水を沸かし上げる応急運転モードを備え、
前記制御手段は、補助熱源機において燃料ガスを使用した燃焼動作が所定時間以上行なわれていない場合に、前記通常運転モードにおいて前記貯湯タンク内の貯湯熱量に関連づけた所定のタイミングに応急運転モード移行要否確認のための燃料ガス確認を行うことを特徴とするハイブリッド給湯装置。
【請求項２】
前記制御手段は、給湯使用時に前記燃料ガス確認を行うことを特徴とする請求項１に記載のハイブリッド給湯装置。
【請求項３】
前記制御手段は、前記通常運転モードにおいて、前記所定のタイミングに加えて、前記ヒートポンプユニットの貯湯運転開始時に前記燃料ガス確認を行うことを特徴とする請求項１又は２に記載のハイブリッド給湯装置。
【請求項４】
前記制御手段は、前記応急運転モードへ移行後には、通常運転モード移行要否確認のための燃料ガス確認を少なくとも給湯使用毎に行い、この燃料ガス確認により燃料ガス遮断が解消されたことが検知された場合に、前記応急運転モードから前記通常運転モードへ自動的に切換えることを特徴とする請求項１から３の何れか１項に記載のハイブリッド給湯装置。
【発明の詳細な説明】
【技術分野】
【０００１】
本発明は、ハイブリッド給湯装置に関し、特に燃料ガス遮断状態を自動的に検知して応急運転モードに移行するようにしたハイブリッド給湯装置に関する。
【背景技術】
【０００２】
従来から、ヒートポンプユニット等の運転効率の高い外部熱源機で加熱した湯水を貯湯タンクに貯湯し、貯湯した湯水を給湯設定温度に調整して給湯するハイブリッド給湯装置が広く実用に供されている。この種のハイブリッド給湯装置は、ヒートポンプユニットと貯湯タンクと
燃料ガスを使用する補助熱源機と制御手段などを有するものである。
このハイブリッド給湯装置では、通常の運転状態では、給湯使用の履歴情報に基づく学習制御により給湯使用の約１時間前までにその給湯負荷に対応する湯水を貯湯タンクに貯湯するような制御が実行されている。
【０００３】
ところで、地震や台風等によりガス遮断事故が発生して燃料ガスが遮断された場合には、補助熱源機を使用できなくなるため通常運転モードから応急運転モードに切換え、この応急運転モードにおいて電力で動くヒートポンプユニットを作動させて貯湯することが行われる。
上記の応急運転モードにおいては、貯湯タンクに極力多くの熱量を貯湯するため、前記の学習制御による貯湯ではなく、貯湯設定温度を高め且つ貯湯タンクを常時満蓄状態にするような
運転が行われる。
【０００４】
特許文献１には、燃料ガスの遮断時にはリモコンの選択決定スイッチの操作を介して通常運転モードから応急運転モードに切換え、電力で作動する非燃焼式熱源装置（ヒートポンプユニット等）のみで貯湯タンクに対する沸き上げ運転を行い、リモコンの表示部に応急運転モードを表示する技術が開示されている。
【０００５】
特許文献２には、燃料ガスの連続供給によるガス漏れ判定を回避するため、燃料ガスの連続供給時間情報に基づいてガス遮断期間を設定し、そのガス遮断期間分の必要熱量を事前にタンクに貯湯する技術が開示されている。
【先行技術文献】
【特許文献】
【０００６】
【特許文献１】特許第６２０９９１６号公報
【特許文献２】特許第６０３７６４０号公報
【発明の概要】
【発明が解決しようとする課題】
【０００７】
燃料ガス遮断状態になった場合には、ユーザーが燃料ガスの遮断を検知し、上記のようにリモコンの選択決定スイッチの操作を介して通常運転モードから応急運転モードに切換えなければならないが、ユーザーが応急運転モードの機能を把握していない場合やその機能を忘れていた場合には、応急運転モードへの切換えがなされず、通常運転モードでの運転がなされる。
その場合、予測熱量以上の給湯負荷があって補助熱源機により給湯しようとすると、燃料ガスの遮断により補助熱源機による給湯ができないことに気付くことになる。
【０００８】
前記の燃料ガスの遮断を検知するには、補助熱源機の着火が可能か否かを確認する方法が最も簡単であるが、燃料ガスの遮断がない状態で補助熱源機の着火を頻繁に行うと、燃料ガスを無駄に消費することになるため、燃料ガスの確認は適切なタイミングで行うことが望ましい。
【０００９】
本発明の目的は、応急運転モード移行要否確認のための燃料ガス確認を自動的に行うようにしたハイブリッド給湯装置を提供することである。
【課題を解決するための手段】
【００１０】
請求項１のハイブリッド給湯装置は、ヒートポンプユニットと貯湯タンクと燃料ガスを使用する補助熱源機と制御手段とを備えたハイブリッド給湯装置において、通常運転モードと、燃料ガス遮断が検知された状態においてヒートポンプユニットで貯湯タンク内の湯水を沸かし上げる応急運転モードを備え、前記制御手段は、補助熱源機において燃料ガスを使用した燃焼動作が所定時間以上行なわれていない場合に、前記通常運転モードにおいて前記貯湯タンク内の貯湯熱量に関連づけた所定のタイミングに応急運転モード移行要否確認のための燃料ガス確認を行うことを特徴としている。
【００１１】
上記の構成によれば、貯湯タンク内の貯湯量が少ない場合には極力早期に燃料ガス遮断を検知して応急運転モードに切換えて貯湯タンクを沸かし上げることが望ましく、貯湯量が多い場合には燃料ガス遮断の検知が多少遅れても給湯に支障を来すことはない。
そこで、貯湯タンク内の貯湯熱量に関連づけた所定のタイミングに応急運転モード移行要否確認のための燃料ガス確認を行うことで、燃料ガス消費を抑制しながら、燃料ガス遮断を適切なタイミングで検知して応急運転モードに切換えることができる。
【００１２】
請求項２のハイブリッド給湯装置は、請求項１の発明において、前記制御手段は、給湯使用時に前記燃料ガス確認を行うことを特徴としている。
上記の構成によれば、給湯使用時に前記燃料ガス確認を行うため、給湯使用がある場合には極力早期に燃料ガス遮断を検知することができる。
【００１３】
請求項３のハイブリッド給湯装置は、請求項１又は２の発明において、前記制御手段は、前記通常運転モードにおいて、前記所定のタイミングに加えて、前記ヒートポンプユニットの貯湯運転開始時に前記燃料ガス確認を行うことを特徴としている。
上記の構成によれば、前記ヒートポンプユニットの貯湯運転開始時に燃料ガス確認を行うため、燃料ガスの遮断を検知した場合には貯湯タンクを満蓄状態にするまで貯湯する等の対策を早期に講ずることができる。
【００１４】
請求項４の発明によれば、請求項１から３の何れか１項の発明において、前記制御手段は、前記応急運転モードへ移行後には、通常運転モード移行要否確認のための燃料ガス確認を少なくとも給湯使用毎に行い、この燃料ガス確認により燃料ガス遮断が解消されたことが検知された場合に、前記応急運転モードから前記通常運転モードへ自動的に切換えることを特徴としている。
【００１５】
上記の構成によれば、応急運転モードにおいて燃料ガス遮断の解消を極力早期に検知することが望ましいが、燃料ガス確認を少なくとも給湯使用毎に行うことで、燃料ガス遮断が解消された場合、給湯使用から遅れることなく燃料ガス遮断の解消を検知することができる。
しかも、燃料ガス遮断が解消されたことが検知された場合に、応急運転モードから通常運転モードへ自動的に切換えるため、ユーザーのスイッチ操作なしに通常運転モードへ自動的に復帰することができる。
【発明の効果】
【００１６】
本発明によれば、以上のように種々の効果が得られる。
【図面の簡単な説明】
【００１７】
【図１】本発明の実施形態に係るハイブリッド給湯装置の構成図である。
【図２】給湯使用実績を用いて設定された貯湯運転条件に基づいて貯湯する貯湯制御のフローチャートである。
【図３】貯湯タンクの貯湯量や給湯使用や貯湯運転に関連付けて燃料ガス確認を行って通常運転モードと応急運転モードの間で運転モードを切換える運転モード切換え制御のフローチャートの一部である。
【図４】上記の運転モード切換え制御のフローチャートの一部である。
【図５】上記の運転モード切換え制御のフローチャートの残部である。
【図６】貯湯タンクの貯湯量とフラグとカウンタを説明する説明図である。
【図７】操作端末の表示器への表示例を示す説明図である。
【発明を実施するための形態】
【００１８】
以下、本発明を実施するための形態について実施例に基づいて説明する。
最初に、本発明のハイブリッド給湯装置１の全体構成について、図１に基づいて説明する。ハイブリッド給湯装置１は、ヒートポンプユニット２(外部熱源機)と、貯湯給湯ユニット３を備えている。貯湯給湯ユニット３は、燃料ガス燃焼式の補助熱源機４と、ヒートポンプユニット２により加熱された湯水を貯湯する貯湯タンク５と、ハイブリッド給湯装置１を制御する制御部７（制御手段）を有する。制御部７は、学習記憶した給湯使用実績に基づいて将来の給湯使用の予測を行い、予測した給湯使用量に相当する熱量（必要熱量）を給湯使用の前に外部熱源機２を駆動して貯湯タンク５に貯湯するように貯湯運転を制御する。
【００１９】
貯湯タンク５の上部には、貯湯タンク５に貯湯した湯水を出湯するための出湯通路１１が接続されている。出湯通路１１には、出湯通路１１を流通して湯水混合弁１２に供給される湯水の出湯温度を検知するための出湯温度センサ１１ａが付設されている。貯湯タンク５の下部には、貯湯タンク５に上水源から上水を供給するための給水通路１３が接続されている。給水通路１３には給水温度を検知するための給水温度センサ１３ａが付設されている。
【００２０】
給水バイパス通路１４は、給水通路１３から分岐して湯水混合弁１２に接続されている。湯水混合弁１２は、給湯設定温度の給湯のために出湯通路１１の湯水と給水バイパス通路１４の上水との混合比率を調整して混合する。湯水混合弁１２には給湯通路１６が接続され、湯水混合弁１２で混合されて給湯設定温度に調整された湯水を給湯通路１６から図示外の給湯栓等に給湯する給湯運転が可能なように構成されている。
【００２１】
給湯通路１６から分岐した湯張り通路１８が追焚回路１７に接続され、湯水混合弁１２で混合された湯水を追焚回路１７から浴槽１９に湯張りする湯張り運転が可能なように構成されている。給湯通路１６には、給湯温度を検知するための給湯温度センサ１６ａと給湯流量を検知する給湯流量センサ１６ｂが配設され、湯張り通路１８には湯張り運転時に開放制御する開閉弁１８ａが配設されている。
【００２２】
貯湯タンク５の下部にはヒートポンプユニット２に湯水を供給する循環往き通路２１ａが接続され、ヒートポンプユニット２で加熱された湯水を貯湯タンク５に供給する循環戻り通路２１ｂが貯湯タンク５の上部に接続されて、貯湯タンク５とヒートポンプユニット２の間で循環ポンプ２２により湯水が循環可能な循環加熱回路２１が形成されている。貯湯運転では、循環ポンプ２２の回転数等の調整によって、循環戻り通路２１ｂに配設された温度センサ２１ｃの検知温度が設定された目標貯湯温度となるように制御される。
【００２３】
貯湯タンク５の外周部には、湯水の温度を検知する複数の温度センサ５ａ〜５ｅが上下方向に所定の間隔を空けて配設されている。温度センサ５ａ〜５ｅ及び貯湯タンク５は、貯湯された湯水の放熱を低減する図示外の保温材により覆われている。
【００２４】
補助熱源機４は、燃料ガスの燃焼熱によって湯水を加熱する瞬間式給湯器である。貯湯タンク５の湯水を給湯設定温度に調整して給湯できない場合に、貯湯タンク５の湯水又は上水を補助熱源機４で加熱して湯水混合弁１２に供給し、給湯設定温度に調整して給湯する。
【００２５】
貯湯タンク５の湯水を補助熱源機４で再加熱するための補助加熱通路２３が、出湯通路１１から分岐して補助熱源機４に接続されている。補助熱源機４で加熱した湯水を出湯するための補助出湯通路２４は、補助加熱通路２３の分岐部より下流側の出湯通路１１に接続されている。補助出湯通路２４に配設された調整弁２５は、補助出湯通路２４から出湯通路１１に供給される湯水量を調整する。補助加熱通路２３には、三方弁２６と補助熱源機４に湯水を送るためのポンプ２７が配設されている。
【００２６】
補助出湯通路２４から分岐した熱利用通路２８は、三方弁２６に接続されている。三方弁２６は、補助熱源機４に貯湯タンク５の湯水又は熱利用通路２８の湯水を供給可能となるように切換えられる。熱利用通路２８には熱交換器２８ａと開閉弁２８ｂが設けられている。この熱交換器２８ａは、追焚ポンプ２９の作動により追焚回路１７を流れる浴槽１９の湯水を補助熱源機４で加熱した湯水との熱交換により加熱する追焚運転に使用される。また、熱利用通路２８には、給水通路１３から分岐した分岐通路部１３ｂが熱利用通路２８に上水を供給可能なように接続されている。
【００２７】
ヒートポンプユニット２は、貯湯運転時に外気から吸熱した熱により湯水を加熱して貯湯タンク５に貯湯する。ヒートポンプユニット２の運転効率は、一般的に加熱後の湯水温度が低い程向上する。貯湯運転により貯湯タンク５に貯湯された湯水が給湯や浴槽１９の湯張りに使用される。
【００２８】
ヒートポンプユニット２は、圧縮機３２、凝縮熱交換器３３、膨張弁３４、蒸発熱交換器３５を冷媒回路３６により接続して構成されている。このヒートポンプユニット２は、冷媒回路３６に封入された冷媒を圧縮機３２で圧縮して高温にし、循環ポンプ２２により循環加熱回路２１を流通する湯水を凝縮熱交換器３３において高温の冷媒との熱交換により加熱する。熱交換後の冷媒は、膨張弁３４により膨張して外気より低温になり、蒸発熱交換器３５で外気から吸熱した後、再び圧縮機３２に導入される。
【００２９】
蒸発熱交換器３５は外気温度を検知する外気温度センサ３５ａと送風機３５ｂを備えている。また、ヒートポンプユニット２は、圧縮機３２、膨張弁３４、送風機３５ｂ等を制御する補助制御部３７を備えている。補助制御部３７は、ハイブリッド給湯装置１の主たる制御手段である制御部７に通信可能に接続され、制御部７の指令に従ってヒートポンプユニット２を制御する。
【００３０】
制御部７には、浴室内に配設された操作端末８が通信可能に接続されている。操作端末８の操作によって、各種運転を開始又は終了させることができ、給湯設定温度等の設定を行うことができる。
【００３１】
制御部７には、各種センサの検知信号等に基づいて給湯、浴槽への注湯、風呂追い焚き等の制御を行う制御プログラムの他に、給湯使用量や給湯使用時刻等の給湯使用履歴に基づいて予測必要貯湯量と貯湯開始時刻と目標貯湯温度等を含む貯湯運転条件を設定する貯湯制御の制御プログラムや、貯湯タンク５の貯湯量や給湯使用や貯湯運転に関連付けて燃料ガス確認を行って通常運転モードと応急運転モードの間で運転モードを切換える運転モード切換え制御のフローチャートが予め格納されている。
【００３２】
最初に、前記の貯湯制御について図２のフローチャートに基づいて説明する。尚、図中の符号Ｓｉ（ｉ＝１，２，・・）は各ステップを示す。尚、この貯湯制御は常時実行される。
この図２の貯湯制御に付随する給湯使用履歴記憶制御において、給湯使用の都度、月日時刻と給湯使用量のデータがメモリに格納されて給湯使用履歴として蓄積されている。
【００３３】
図２の貯湯制御のＳ１において、過去の給湯使用履歴に基づいて給湯使用予測がなされ、Ｓ２においては上記の給湯使用予測に基づいて必要貯湯量、給湯運転開始時刻、目標貯湯温度等を含む貯湯運転条件が設定されて、メモリに記憶される。尚、給湯運転開始時刻は、給湯使用予測時刻の例えば１時間前までに予測される給湯使用量分の貯湯を行うように設定される。
【００３４】
次に、Ｓ３において、通常運転モードか否か判定する。この通常運転モードは、電力や燃料ガスも遮断されていない通常時の運転モードであり、この貯湯制御開始時の初期設定においては通常運転モードが設定される。これに対し、燃料ガスが遮断された場合には、補助熱源機４が運転できなくなるため、応急運転モードに切換えられ、電力によりヒートポンプユニット２による貯湯がなされる。運転モードはフラグを介して記憶されている。
【００３５】
Ｓ３の判定の結果、通常運転モードである場合にはＳ４へ移行し、通常運転モードでない場合にはＳ８へ移行する。Ｓ４では、この貯湯制御における貯湯運転開始時刻か否か判定され、その判定がＹｅｓの場合はＳ５において貯湯運転が実行され、次にＳ６において必要貯湯量の貯湯完了か否か判定され、その判定がＹｅｓのときはＳ７において貯湯運転を終了し、リターンする。尚、Ｓ４の判定がＮｏのときはリターンし、Ｓ６の判定がＮｏの場合はＳ５へ移行する。
【００３６】
Ｓ８においては、応急運転モードか否か判定され、その判定がＹｅｓの場合は、Ｓ９において貯湯運転が実行され、次のＳ１０では貯湯タンク５が満蓄状態か否か判定され、満蓄状態でない場合にはＳ９へ戻って貯湯運転を継続し、満蓄状態になるまでＳ９、Ｓ１０を繰りかえす。
その後貯湯タンク５が満蓄状態になるとリターンする。尚、貯湯タンク５に貯湯する目標貯湯温度に関して、通常運転モードでは目標貯湯温度は例えば４６〜６０℃であるが、応急運転モードでは補助熱源機４を使用できないことに鑑み、貯湯熱量を極力多くするために、目標貯湯温度が例えば６５℃に設定される。また、応急運転モードにおいては風呂の追い焚き運転は禁止されている。
【００３７】
上記のように、通常運転モードにおいては、上記の貯湯制御の予測に基づいて給湯使用のタイミングに遅れないように貯湯タンク５へ計画的な貯湯を行うが、応急運転モードでは、補助熱源機４を使用できないことに鑑み、常に貯湯槽タンク５を満蓄状態にするような貯湯を行なう。
【００３８】
次に、運転モード切換え制御について、図３〜図５のフローチャートに基づいて説明する。尚、図中符号Ｓｉ（ｉ＝２０，２１，・・）各ステップを示す。
このフローチャートの説明の前に、貯湯タンク５に設けた温度センサ５ｂ〜５ｅと、フラグＦ１〜Ｆ４と、カウンタＮ１〜Ｎ４について説明しておく。
【００３９】
温度センサ５ｂ〜５ｅは、実際には貯湯温度を検出するものであるが、目標貯湯温度以上の湯水温度を検知した場合に「高」となり、それ以外は「低」になるとする。温度センサ５ｂ〜５ｅに対応するフラグＦ１〜Ｆ４が設けられ、温度センサ５ｂ〜５ｅが「高」のときフラグＦ１〜Ｆ４が「１」となり、温度センサ５ｂ〜５ｅが「低」のときフラグＦ１〜Ｆ４が「０」となる。
【００４０】
図６に示すように、カウンタＮ１は、温度センサ５ｂのみが「高」状態（第１段目貯湯）のときの給湯使用の回数を示し、カウンタＮ２は、温度センサ５ｂ，５ｃのみが「高」状態（第１，第２段目貯湯）のときの給湯使用の回数を示し、カウンタＮ３は、温度センサ５ｂ，５ｃ，５ｄのみが「高」状態（第１〜第３段目貯湯）のときの給湯使用の回数を示し、カウンタＮ４は、温度センサ５ｂ〜５ｅの全部が「高」状態（第１〜第４段目貯湯）のときの給湯使用の回数を示す。
【００４１】
次に、図３〜図５のフローチャートに基づいて説明する。
この制御が開始されると、Ｓ２０において、この制御に必要な各種信号が読み込まれてメモリに格納され、次にＳ２１において通常運転モードか否か判定され、その判定がＮｏのときは図５のＳ３９へ移行し、Ｓ２１の判定がＹｅｓのときはＳ２２へ移行し、Ｓ２２において、補助熱源機４が所定時間（例えば６時間）以上停止か否か判定され、その判定がＹｅｓのときはＳ２３へ移行し、Ｓ２２の判定がＮｏのときはリターンする。
次に、Ｓ２３において給湯使用ありか否か判定される。その判定の結果給湯使用がない場合にはＳ２０へ戻る。給湯使用がある場合にはＳ２４へ移行する。
【００４２】
Ｓ２４においては、温度センサ５ｂ〜５ｅの「高」，「低」に応じてフラグＦ１〜Ｆ４が設定される。温度センサ５ｂの「高」，「低」に応じてフラグＦ１が１又は０に設定される。同様に、温度センサ５ｃの「高」，「低」に応じてフラグＦ２が１又は０に設定され、温度センサ５ｄの「高」，「低」に応じてフラグＦ３が１又は０に設定され、温度センサ５ｅの「高」，「低」に応じてフラグＦ４が１又は０に設定される。
【００４３】
Ｓ２４の次のＳ２５においては、フラグＦ１〜Ｆ４に応じたカウンタＮ１〜Ｎ４の設定がなされる。まず、フラグＦ１〜Ｆ４が０のとき、そのフラグに対応するカウンタＮ１〜Ｎ４が夫々０にリセットされる。
次に、フラグＦ１が１で、フラグＦ２，Ｆ３，Ｆ４が０であれば、カウンタＮ１が「１」だけインクリメントされる。フラグＦ１，Ｆ２が１で、フラグＦ３，Ｆ４が０であれば、カウンタＮ２が「１」だけインクリメントされる。フラグＦ１，Ｆ２，Ｆ３が１で、フラグＦ４が０であれば、カウンタＮ３が「１」だけインクリメントされる。また、フラグＦ１，Ｆ２，Ｆ３，Ｆ４が１であれば、カウンタＮ４が「１」だけインクリメントされる。
【００４４】
次に、図４のＳ２６においてはカウンタＮ１が２以上か否か判定され、その判定がＹｅｓのときはＳ２７においてカウンタＮ１が０にリセットされてからＳ３５へ移行する。
Ｓ２６の判定がＮｏのときは、Ｓ２８においてカウンタＮ２が３以上か否か判定され、その判定がＹｅｓのときはＳ２９においてカウンタＮ２が０にリセットされてからＳ３５へ移行する。Ｓ２８の判定がＮｏのときは、Ｓ３０においてカウンタＮ３が４以上か否か判定され、その判定がＹｅｓのときはＳ３１においてカウンタＮ３が０にリセットされてからＳ３５へ移行する。Ｓ３０の判定がＮｏのときは、Ｓ３２においてカウンタＮ４が５以上か否か判定され、その判定がＹｅｓのときはＳ３３においてカウンタＮ４が０にリセットされてからＳ３５へ移行する。
【００４５】
Ｓ３２の判定がＮｏのときは、Ｓ３４において、貯湯制御においてなされる貯湯運転が開始されたか否か判定され、その判定がＹｅｓのときはＳ３５へ移行し、Ｓ３４の判定がＮｏのときはＳ３８移行する。
Ｓ３５においては応急運転モード移行要否確認のための燃料ガスの確認がなされる。この燃料ガスの確認は補助熱源機４を複数回着火動作させ、フレームロッドにより火炎の発生を確認することにより行う。
次にＳ３６において、火炎の発生の有無から燃料ガス遮断か否か判定し、その判定がＹｅｓのときはＳ３７において運転モードを応急運転モードに切換えてから、図５のＳ３９へ移行する。Ｓ３６の判定がＮｏのときはＳ３８へ移行し、Ｓ３８において運転モードを通常運転モードに設定してからリターンする。
【００４６】
次に、図５のＳ３９においては、給湯使用ありか否か判定され、その判定がＹｅｓのときはＳ４０において燃料ガス確認が前記と同様に行われる。Ｓ４０の次のＳ４１においては、燃料ガス遮断が解消したか否か判定され、その判定がＹｅｓ（燃料ガス遮断解消）のときはＳ４２において、運転モードを通常運転モードに切換えてからリターンする。
【００４７】
Ｓ３９の判定がＮｏのときはＳ４３へ移行し、Ｓ４３において貯湯タンク５における貯湯量の段数表示切換えか否か判定し、その判定がＮｏのときはリターンし、Ｓ４３の判定がＹｅｓのときはＳ４４へ移行する。
図７は、操作端末８の表示器８ａの表示例を示すもので、この表示例には、貯湯タンク５の貯湯段数８ｂ、［応急運転］の有無（８ｃ）、給湯設定温度８ｄ等が示されている。
【００４８】
給湯使用がない場合でも、貯湯制御により貯湯運転が開始されると、貯湯タンク５の貯湯量が変化するため、温度センサ５ｂ〜５ｅの「高」，「低」の状態が変化し、貯湯量の段数表示が切換えられる。また、貯湯タンク５が満蓄状態になった場合にも、貯湯タンク５内の貯湯量がなくなって湯切れ状態になった場合にも貯湯量の段数表示が切換えられるため、Ｓ４４へ移行する。
貯湯量の段数表示が切換えられた場合、Ｓ４４において燃料ガス確認が前記と同様に行われ、次のＳ４５において燃料ガス遮断解消か否か判定され、その判定がＹｅｓのときは運転モードが通常運転モードに切換えられ、Ｓ４５の判定がＮｏのときはリターンする。
【００４９】
次に、以上説明したハイブリッド給湯装置１の作用、効果について説明する。
貯湯タンク５内の貯湯量が少ない場合には極力早期に燃料ガス遮断を検知して応急運転モードに切換えて貯湯タンク５を沸かし上げることが望ましく、貯湯量が多い場合には燃料ガス遮断の検知が多少遅れても給湯に支障を来すことはない。
【００５０】
そこで、Ｓ２６〜Ｓ３５に示すように、第１段目の貯湯のみがある状態では、貯湯量が少ないことに鑑み、給湯使用が例えば２回検知される毎に燃料ガスの確認を行なう。第１段目と第２段目の貯湯がある状態では、給湯使用が例えば３回検知される毎に燃料ガスの確認を行なう。第１段目と第２段目と第３段目の貯湯がある状態では、給湯使用が例えば４回検知される毎に燃料ガスの確認を行なう。第１段目〜第４段目までの貯湯（満蓄状態）がある状態では、給湯使用が例えば５回検知される毎に燃料ガスの確認を行なう。尚、Ｓ２５、Ｓ２７、Ｓ２９、Ｓ３１における「２」、「３」、「４」、「５」は一例を示すもので、これらの数値に限定されるものではない。
【００５１】
このように、貯湯タンク５内の貯湯熱量に関連づけた所定のタイミングに応急運転モード移行要否確認のための燃料ガス確認を行うことで、燃料ガス消費を抑制しながら、燃料ガス遮断を適切なタイミングで検知して応急運転モードに切換えることができる。
【００５２】
給湯使用のタイミングで燃料ガス確認を行うため、給湯使用があって貯湯量が変動する場合には極力早期に燃料ガス遮断を検知することができる。
【００５３】
Ｓ３４、Ｓ３５に示すように、ヒートポンプユニット２が貯湯運転を開始するタイミングで燃料ガス確認を行うため、燃料ガスの遮断を検知した場合には貯湯タンクを満蓄状態にするまで貯湯する等の対策を早期に講ずることができる。
【００５４】
応急運転モードにおいて燃料ガス遮断の解消を極力早期に検知することが望ましいが、Ｓ３７、Ｓ４０に示すように、燃料ガス確認を少なくとも給湯使用毎に行うことで、燃料ガス遮断が解消された場合、給湯使用から遅れることなく燃料ガス遮断の解消を検知することができる。
しかも、燃料ガス遮断が解消されたことが検知された場合に、応急運転モードから通常運転モードへ自動的に切換えるため、ユーザーのスイッチ操作なしに通常運転モードへ自動的に復帰することができる。
【００５５】
Ｓ３５〜Ｓ３７に示すように、燃料ガス遮断が検知されたときには通常運転モードから応急運転モードに自動的に移行し、Ｓ４０〜Ｓ４２、Ｓ４４〜Ｓ４６に示すように、燃料ガス遮断の解消が検知されたときには応急運転モードから通常運転モードに自動的に移行するため、ユーザーのスイッチ操作を必要とせずに、通常運転モードから応急運転モードへおよび応急運転モードから通常運転モードへ自動的に移行するため、簡単に能率的に確実に運転モードを切換えることができる。
【００５６】
Ｓ３９〜Ｓ４１に示すように、給湯使用毎に燃料ガス確認を行うことで、給湯使用から極力早期に燃料ガス確認を行うことができ、通常運転モードへの復帰が遅れるのを防止することができる。
Ｓ４３〜Ｓ４５に示すように、応急運転モードのとき、貯湯量の段数表示切換え毎に燃料ガス確認を行うことで、貯湯量に関連付けて適当な時間間隔おきに燃料ガス確認を行うことができる。
補助熱源機４の機器を有効利用して燃焼確認を行って燃料ガス確認を自動的に行うことができる。
【００５７】
次に、前記実施形態を部分的に変更する例について説明する。
１）風呂に注湯する予定注湯時刻の設定時間（例えば、４時間）前に燃料ガスの確認を行なうようにしてもよい。燃料ガス遮断の場合に事前に貯湯する為である。
２）その他、当業者ならば本発明の趣旨を逸脱することなく、前記実施形態に種々の変更を付加して実施可能である。
【符号の説明】
【００５８】
１      ハイブリッド給湯装置
２      ヒートポンプユニット
３      貯湯給湯ユニット
４      補助熱源機
５      貯湯タンク
７      制御部（制御手段）
８      操作端末
【図１】
2020176811.tif 000003
【図２】
2020176811.tif 000004
【図３】
2020176811.tif 000005
【図４】
2020176811.tif 000006
【図５】
2020176811.tif 000007
【図６】
2020176811.tif 000008
【図７】
2020176811.tif 000009